(57)【要約】 【課題】  商品などの物体を収納して陳列する際の収納閉が容易で、構造も簡易な包装体を提供すること。【解決手段】  包装体Ａは、収納部である袋体２の周面が、開閉自在なリング状のヘッダー部１の挿入口３に連通され、ヘッダー部１の内周面に接合手段を配設するとともに、ヘッダー部１に開口した吊下孔５がヘッダー部１の挿入口３を閉じて接合した状態でその位相が合致されて成る。  このほか、吊下孔５が横長溝にしてその上縁に上向きの凹部７を多数設けた包装体Ｂや、包装体Ａをヘッダー部１から袋体２に渡ってその両端を切断して展開した状態の帯体９の上下各端にヘッダー部１が配設された包装体Ｃが提供される。【選択図】図２
2007320567.tif 000002
【特許請求の範囲】
【請求項１】
吊下孔が開口されたヘッダー部と、袋体の収納部とから成る包装体において
前記収納部の周面が開閉自在なリング状のヘッダー部に連通して接合され、該ヘッダー部の内周面に接合手段を配設するとともに、吊下孔がヘッダー部を閉じて接合した状態で位相が合致して設けられて成る包装体。
【請求項２】
ヘッダー部の両端から収納部の両端に渡って切断して展開した姿勢の形態から成り、袋体が帯体に変形し、ヘッダー部が該帯体の上下各端に配設されることを特徴とする請求項１記載の包装体。
【請求項３】
吊下孔が所要幅の横長溝にして上縁に上向きの凹部を多数配設されて成る請求項１又は２記載の包装体。
【請求項４】
収納部の要部に透明部が配設されて成る請求項１記載の包装体。
【請求項５】
帯体の要部に透明部が配設されて成る請求項２記載の包装体。
【請求項６】
帯体の内面要部に接合手段が配設されて成る請求項２又は５記載の包装体。
【請求項７】
ヘッダー部又は袋体の不透明の個所にＩＣタグを設けて成る請求項１、請求項２、請求項３、請求項６記載の包装体。
【発明の詳細な説明】
【技術分野】
【０００１】
本発明は、商品などの物体を収納して陳列台に吊り下げされる包装体に関する。
【背景技術】
【０００２】
包装体を吊り下げ陳列するためのフック孔を円形の孔と長円状の孔とを上下に離間して配設したものが特開平９−１８８３３８号公報（特許文献１）に開示され、また、可撓性のフィルムにより物品収納室（袋部）を形成し、該物品収納室に連接してヘッダー部を設け、該ヘッダー部に吊り下げ手段としての挿入孔を設けた吊下包装体が特開２００５−２９７９９１号公報（特許文献２）に開示されている。
特許文献１に示されるフック孔は、ヘッダー部（吊り下げ用部分４）に固定的に設けられるもので、袋内に収める商品を入れるための挿入口は別途設けられて蓋部７で閉止されるから、構造が複雑でコスト高となる。また、特許文献２における挿入孔１２は商品に吊り下げるもので、陳列台のフックなどに吊り下げるものではなく、袋部４の収納室７の開口部７aは挿入孔１２とは関係なく封口片８で封口されるものであり、この先行技術も要部を陳列に使用したとしてもコスト高となる。さらに、帯状の包装体としては特開平９−３２８１３６号公報（特許文献３）に開示されているが、このものは被包装物である物体が縦に包装されるもので、両端に形成された孔は相互に接着されるものではなく陳列するには使用できない孔である。
【特許文献１】特開平９−１８８３３８号公報
【特許文献２】特開２００５−２９７９９１号公報
【特許文献３】特開平９−３２８１３６号公報
【発明の開示】
【発明が解決しようとする課題】
【０００３】
本発明は、商品などの物体を収納して陳列する際の収納閉止が容易で、構造も簡易で、かつ、盗難防止ができる包装体の提供をその目的とする。
【課題を解決するための手段】
【０００４】
上記目的を達成するための請求項１に記載された包装体は、吊下孔が開口されたヘッダー部と、袋体の収納部とから成る包装体において、
前記収納部の内周面が開閉自在なリング状のヘッダー部に連通して接合され、該ヘッダー部の内周面に接合手段を配設するとともに、吊下孔がヘッダー部を閉じて接合した状態で位相が合致されて成る。
請求項２に記載された包装体は、請求項１に記載された包装体において、
ヘッダー部の両端から収納部の両端に渡り切断して展開した姿勢の形態から成り、袋体が帯体に変形し、ヘッダー部が該帯体の上下各端に配設されて成る。
請求項３に記載された包装体は、請求項２又は３に記載された包装体において、
吊下孔が所要幅の横長溝にして上縁に上向きの凹部を多数配設されて成る。
請求項４に記載された包装体は、請求項１に記載された包装体において、
収納部の要部に透明部が配設されて成る。
請求項５に記載された包装体は、請求項２に記載された包装体において、
帯体の要部に透明部が配設されて成る。
請求項６に記載された包装体は、請求項２又は５に記載された包装体において、帯体の内面要部に接合手段が配設されて成る。
【発明の効果】
【０００５】
本発明の包装体は、ヘッダー部が吊り下げと商品などの物体の収納閉止に供されるから構造が簡易化されてコスト削減が図られるほか、吊下孔の陳列台などのフックへの吊り下げ位置を選択することにより包装体を傾斜して吊り下げできるなど、陳列に動きを与えて顧客の目を引き、販売促進に寄与する効果がある。
【発明を実施するための最良の形態】
【０００６】
ヘッダー部の挿入口の内周縁に配設される接合手段は、両面接着テープのほか面状ファスナーによるものから部分的な接合となるホックなどであり、帯状の包装体では、両端のヘッダー部の内面のみに接合手段を配設するものから、帯体をも含んで全面に接合手段を配設するものが提供される。
さらに、ヘッダー部には挿入口を閉じ易くするために折り目を所要に配設したものが提供され、この場合には吊下孔は挿入口が閉じられた状態で表裏面に連通するように位相が合致されて成り、吊下孔の形状は複数の円形のものから、所要溝幅の横長溝にして上縁に上向きの凹部を多数配設したものがあり、袋体や帯体が不透明なものでは部分的に要所に透明部が配設される。
このほか、帯状の包装体においては、裏側となるヘッダー部の端縁にカバーを設けて、両端のヘッダー部を接着したときにカバーを表側のヘッダー部の表面へ垂らして、両者の頂面にゴミやほこりの付着することを防止する。
【実施例】
【０００７】
本発明の包装体Ａを実施例により説明すると、図１、図２に示すように、リング状のヘッダー部１の内周面に、収納部としての合成樹脂フィルム製の袋体２の内周面を重合させて両者が一体に接合されている。ヘッダー部１は、袋体２の上端部内周に紙製又はやや硬質の合成樹脂製などの芯材１aと、芯材１aの内周面に周設され内面側に剥離紙１bを貼着した接合手段としての両面接着テープ１cが一体に接着され、さらに芯材１aにはヘッダー部１の挿入口３が閉じられるときに折り重ね易くなるように縦方向の折り目４が入れられ、ヘッダー部１の周面に開口される吊下孔５は挿入口３が閉じられたときに表裏面に合致して連通する位相で配設されて成っている。
包装体Ａの使用はヘッダー部１の挿入口３から商品６が入れられ、次いで内周面の剥離紙１bが除去され、対向する折り目４を重ねて挿入口３が閉じられ、露出した両面接着テープ１cの接着面相互が接着される。このとき、周面に開口された吊下孔５は表裏面に連通した状態で重なり合うため、図外の陳列台などのフックに挿し込まれて商品６の陳列に供される。
【０００８】
図３に示した包装体Ｂは、袋体２の下方を省略したものであるが、ヘッダー部１に開口される吊下孔５は、所要溝幅で所要幅に渡って上方へ湾曲した横長溝とし、その上縁に上向きの凹部７が多数設けられて成る。
このようにして成る包装体Ｂは、商品６の封入された状態で吊下孔５の適宜な凹部７、例えば右から三番目の凹部７を陳列台（図外）のフック（仮想線で示す）８にかければ、仮想線で示すように袋体２の右側下方が右方へ突出するように傾き陳列に動きが生じて顧客の目を引き販売促進となる。
上記包装体Ｂの横長溝に代え、ヘッダー部１の中央及びその左右に吊り下げ用の孔を設けて同様に用いることができる。
【０００９】
図４に示す包装体Ｃは、ヘッダー部１とヘッダー部１の挿入口３に連通する袋体２とから成る包装体において、ヘッダー部１の挿入口３を閉じた状態で、その両端から袋体２に渡って袋体２の底辺を除いて切り開いた形態のものから成り、袋体２は分図（ａ）に示すように帯体９となり、ヘッダー部１はその内面を表面にしてこの帯体９の上下に配設されることとなる。
このようにして成る包装体Ｃは、分図（ｂ）に示すように、商品６を横向きに包んだ状態で剥離紙１bの除去された上下のヘッダー部１の両面接着テープ１cの接着面が接着され、このとき、両ヘッダー部１に開口された吊下孔５は位相が合致して表裏面に連通した状態となるから、陳列台（図外）などのフックに吊り下げて陳列に供される。
なお、陳列時に両ヘッダー部１の接合頂部にゴミやほこりが付着しないように、分図（ｂ）の仮想線で示すように、裏側となるヘッダー部１の上部端縁に表側のヘッダー部１へ両者の頂部を乗り越えて吊り下げるカバー１０を設けることもある。
【００１０】
図５に示すように、包装体Ａ（包装体Ｂにおいても同じ）において、袋体２が不透明なものでは要部に抜き窓１１を開けて透明な合成樹脂フィルム１２を接合した透明部１３を配設したものも提供され、同様に図６に示すように、包装体Ｃにおいても、不透明な帯体９の要部に前記の透明部１３を配設して提供される。
包装体Ｃにおいては図７に示すように、帯体９の内面にも接合手段として表面に剥離紙１bを貼着した両面接着テープ１cを接着したものも提供される。
このほか、帯体９をネットにしたり、長手方向に複数の切り目を入れたり、伸縮性の素材を使うなどで包装する商品の形状に柔軟に対応できるようにしたり、帯体９の一端にのみヘッダー部１を設け、他端に両面接着テープ１cを配設するなどは、本発明から容易に想起される。さらに帯体９の両側縁の形状やヘッダー部１の上端縁に形成する装飾形状などは、各種各様の輪郭を以て形成される。
【００１１】
次に、商品の盗難防止対策として、商品の識別に利用される小さな無線ＩＣチップ（以下、ＩＣタグという。）を商品に付着し、精算所にて精算するとＩＣタグの効力を停止させることが行われている。特許文献では特開２００３−１０９１１３、特開２００５−３０１６３７等がある。
本発明はこのＩＣタグをヘッダー部１又は袋体２の不透明（外視上の見えない。）個所に貼着しておくものである。
これにより従来の明視個所に貼着によるＩＣタグ剥ぎ取りを防止し、かつ、盗難防止を図ることができる。
【産業上の利用可能性】
【００１２】
本発明は、可撓性の合成樹脂フィルムを多く使用するため、製造面では合成樹脂加工業界で利用され、商品陳列による包装販売では包装コストの削減の点で大いに活用される。
【図面の簡単な説明】
【００１３】
【図１】本発明に係わる包装体Ａの正面図。
【図２】包装体Ａのヘッダー部１の挿入口３を開口した状態の部分斜視図。
【図３】本発明に係わる包装体Ｂの部分説明図。
【図４】本発明に係わる包装体Ｃの説明図で、（ａ）はその内面側から見たもので、中間部を省略し、一部を破断した正面図、（ｂ）は商品６を包装した状態の側面図。
【図５】包装体Ａの他の実施態を示した正面図。
【図６】包装体Ｃの中間部を省略し、一部を破断した他の実施態様を示した正面図。
【図７】包装体Ｃの中間部を省略し、一部を破断したその他の実施態様を示した正面図。
【符号の説明】
【００１４】
１：ヘッダー部
１a：芯材
１b：剥離紙
１c：両面接着テープ
２：袋体
３：挿入口
４：折り目
５：吊下孔
６：商品
７：凹部
８：フック
９：帯体
１０：カバー
１１：抜き窓
１２：合成樹脂フィルム
１３：透明部
Ａ乃至Ｃ：包装体
【図１】
2007320567.tif 000003
【図２】
2007320567.tif 000004
【図３】
2007320567.tif 000005
【図４】
2007320567.tif 000006
【図５】
2007320567.tif 000007
【図６】
2007320567.tif 000008
【図７】
2007320567.tif 000009